(57)【要約】      （修正有）【課題】身体の一部に簡略に装用して常に故人（又は愛玩動物（ペット））を偲び供養、崇拝の念を表すことができる遺石を用いた装身具を提供する。【解決手段】火葬した人骨又は愛玩動物の骨灰を粉砕、溶融した後に固化して石状に形成した遺石を加工処理して、指輪形態、ネックレス形態、ペンダント形態、イヤリング形態、ブレスレット形態、ネクタイピン形態、キーホルダー形態の内のいずれかの形態の装飾体として構成する。指輪形態を例にすると装身具１は、貴金属を用いた指に装着可能な環状体に形成した装身具本体１１と、この装身具本体に設けた台座１２へ着脱自在に取り付けた遺骨等のみを含む遺石を用い例えば半球状とした装飾体１３と、を有する。【選択図】図１
0003190868.tif 000002
【実用新案登録請求の範囲】
【請求項１】
火葬した人骨又は愛玩動物の骨灰のみを粉砕し固化して形成した遺石を有することを特徴とする遺石を用いた装身具。
【請求項２】
火葬した人骨又は愛玩動物の骨灰のみを粉砕し固化して形成した遺石を装飾体とし、この装飾体を枠体で保護したことを特徴とする遺石を用いた装身具。
【請求項３】
火葬した人骨又は愛玩動物の骨灰のみを粉砕し固化して形成した遺石を一部に又は全部に有し指輪形態としたことを特徴とする遺石を用いた装身具。
【請求項４】
火葬した人骨又は愛玩動物の骨灰のみを粉砕し固化して形成した遺石を装飾体とし、この装飾体を枠体で保護して指輪形態としたことを特徴とする遺石を用いた装身具。
【請求項５】
火葬した人骨又はや愛玩動物の骨灰のみを粉砕し固化して形成した遺石を一部に有し、ネックレス形態としたことを特徴とする遺石を用いた装身具。
【請求項６】
火葬した人骨又はや愛玩動物の骨灰のみを粉砕し固化して形成した遺石を装飾体とし、この装飾体を枠体で保護してネックレス形態としたことを特徴とする遺石を用いた装身具。
【請求項７】
火葬した人骨又は愛玩動物の骨灰のみを粉砕し固化して形成した遺石を一部に有しペンダント形態としたことを特徴とする遺石を用いた装身具。
【請求項８】
火葬した人骨又は愛玩動物の骨灰のみを粉砕し固化して形成した遺石を装飾体とし、この装飾体を枠体で保護してペンダント形態としたことを特徴とする遺石を用いた装身具。
【請求項９】
火葬した人骨又は愛玩動物の骨灰のみを粉砕し固化して形成した遺石を一部に有しイヤリング形態としたことを特徴とする遺石を用いた装身具。
【請求項１０】
火葬した人骨又は愛玩動物の骨灰のみを粉砕し固化して形成した遺石を装飾体とし、この装飾体を枠体で保護してイヤリング形態としたことを特徴とする遺石を用いた装身具。
【請求項１１】
火葬した人骨又は愛玩動物の骨灰のみを粉砕し固化して形成した遺石を一部に有しブレスレット形態としたことを特徴とする遺石を用いた装身具。
【請求項１２】
火葬した人骨又は愛玩動物の骨灰のみを粉砕し固化して形成した遺石を装飾体とし、この装飾体を枠体で保護してブレスレット形態としたことを特徴とする遺石を用いた装身具。
【請求項１３】
火葬した人骨又は愛玩動物の骨灰のみを粉砕し固化して形成した遺石を一部に有しネクタイピン形態としたことを特徴とする遺石を用いた装身具。
【請求項１４】
火葬した人骨又は愛玩動物の骨灰のみを粉砕し固化して形成した遺石を装飾体とし、この装飾体を枠体で保護してネクタイピン形態としたことを特徴とする遺石を用いた装身具。
【請求項１５】
火葬した人骨又は愛玩動物の骨灰のみを粉砕し固化して形成した遺石を一部に有しキーホルダー形態としたことを特徴とする遺石を用いた装身具。
【請求項１６】
火葬した人骨又は愛玩動物の骨灰のみを粉砕し固化して形成した遺石を装飾体とし、この装飾体を枠体で保護してキーホルダー形態としたことを特徴とする遺石を用いた装身具。
【請求項１７】
前記枠体には装飾体の表面を彩る飾り網が設けられていることを特徴とする請求項２、４、６、８、１０、１２、１４又は１６のいずれか１項に記載の遺石を用いた装身具。
【請求項１８】
前記装飾体には、故人又は愛玩動物を偲ぶ文字が付されていることを特徴とする請求項１乃至１７のいずれか１項に記載の遺石を用いた装身具。
【考案の詳細な説明】
【技術分野】
【０００１】
本考案は、遺石を用いた装身具に関し、詳しくは、火葬した人骨や愛玩動物の骨灰のみを含み他の混合物を含まない遺石を用いた装身具に関するものである。
【背景技術】
【０００２】
近年、目本の文化はＩＴ革命等にさらされ、年々生活様式が急変し、社会通念や常識も自然と変貌しつつある。
【０００３】
この様な時代の中、葬送の文化は高齢化が進み、葬祭事情は社会的に深刻な問題を投げかけている。
【０００４】
墓地の取得は遺された御遺族（以後、遺族）にとって大きな負担となっている。特に都市部や都市近郊に於いては、墓地不足に加え価格面や立地条件等の制約があり、次世代の遺族にとっては容易に入手することが困難な状況になっている。
【０００５】
「先祖代々の墓に入れない」、「遺骨があっても安置する場所がない」、「お墓があっても納骨スペースがない」、［お墓が欲しくても経済的に無理がある］等の問題を抱えている遺族も多く存在する。
【０００６】
お墓の持てない、持たない遺族の供養の有り方と、お墓との互換性をどのように調和していけばよいのかが大きな問題である。
【０００７】
従来においても、亡くなられた人や愛玩動物（ペット）を追悼する手法としては、生前の写真等を写真立て等に入れて飾ることが一般的になされている。
【０００８】
特許文献１には、本願考案に関連する技術として、亡くなられた人や愛玩動物（ペット）をより身近に感じていられるようにと、これらを火葬に付した遺骨または骨灰の一部を身につけていられるように、高温にて焼成して石状の焼成体としたものが提案されている。
【０００９】
しかし、特許文献１の場合には、石状の焼成体における亡くなられた人や愛玩動物の遺骨等の含有量は微量であり、このように遺骨等の量が微量の場合には、その焼成体から亡くなられた人や愛玩動物（ペット）を感じたり、崇拝の念を感じたりることが希薄となってしまう。
【先行技術文献】
【特許文献】
【００１０】
【特許文献１】特開２００４−１６７１３５号公報
【考案の概要】
【考案が解決しようとする課題】
【００１１】
本考案が解決しようとする問題点は、亡くなられた人又は愛玩動物（ペット）の遺骨等のみを含み、かつ、身体の一部に簡略に装用して常に故人（又は愛玩動物（ペット））を偲び供養、崇拝の念を表すことがき、墓石等のような大げさな葬送形態ではなく簡略な葬送形態の一種とすることが可能であり供養品として極めて有意義であるような遺石を用いた装身具が存在しない点である。
【課題を解決するための手段】
【００１２】
本考案に係る遺石を用いた装身具は、火葬した人骨又は愛玩動物の骨灰のみを粉砕し固化して形成した遺石を有することを最も主要な特徴とする。
【考案の効果】
【００１３】
請求項１、２記載の考案によれば、亡くなられた人又は愛玩動物（ペット）の遺骨等のみからなる装飾体（遺石）を含む指輪形態として、遺族が指に装用するだけで、常に故人（又は愛玩動物（ペット））を偲び供養、崇拝の念を表すことがき、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固な装身具を実現し、提供することができる。
【００１４】
請求項３，４記載の考案によれば、亡くなられた人又は愛玩動物（ペット）の遺骨等のみからなる装飾体を含む指輪形態として、遺族が指に装用するだけで、常に故人（又は愛玩動物（ペット））を偲び供養、崇拝の念を表すことがき、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固な指輪形態の装身具を実現し、提供することができる。
【００１５】
請求項５、６記載の考案によれば、亡くなられた人又は愛玩動物（ペット）の遺骨等のみからなる装飾体を含むネックレス形態として、遺族が首周りに装用するだけで、常に故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固なネックレス形態の装身具を実現し、提供することができる。
【００１６】
請求項７、８記載の考案によれば、亡くなられた人又は愛玩動物（ペット）の遺骨等のみからなる装飾体を含むペンダント形態として、遺族が首周りに装用するだけで、常に故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固なペンダント形態の装身具を実現し、提供することができる。
【００１７】
請求項９，１０記載の考案によれば、亡くなられた人又は愛玩動物（ペット）の遺骨等のみからなる装飾体を含むイヤリング形態として、特に婦人が耳朶に着用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固なイヤリング形態の装身具を実現し、提供することができる。
【００１８】
請求項１１、１２記載の考案によれば、亡くなられた人又は愛玩動物（ペット）の遺骨等のみからなる装飾体を含むブレスレット形態として、遺族が腕周りに着用することにより、故人（又は愛玩動物（ペット））を偲び供養、崇拝の念を表すことができ、簡略な葬送形態の一つとして、又は故人となった身近な人や死亡した愛玩動物等を末長く偲び、又は崇拝する品としてかけがえのない価値を発揮する遺石を用いた装身具を実現し、提供することができる。また、装飾体を枠体で保護することにより、装飾体が外れて紛失したり、傷付いたりすることを防止できる強固なブレスレット形態の装身具を実現し、提供することができる。
【００１９】
請求項１３、１４記載の考案によれば、亡くなられた人又は愛玩動物（ペット）の遺骨等のみからなる装飾体を含むネクタイピン形態として、遺族である男性がネクタイピンとして使用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固なネクタイピン形態の装身具を実現し、提供することができる。
【００２０】
請求項１５，１６記載の考案によれば、亡くなられた人又は愛玩動物（ペット）の遺骨等のみからなる装飾体を含むキーホルダー形態として、遺族がキーホルダーとして使用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する遺石を用いた装身具を実現し、提供することができる。また、装飾体を枠体で保護することにより、装飾体が外れて紛失したり、傷付いたりすることを防止できる強固なキーホルダー形態の装身具を実現し、提供することができる。
【００２１】
請求項１７記載の考案によれば、請求項２、４、６、８、１０、１２、１４、１６のいずれか１項に記載の遺石を用いた装身具の装飾性をより高めることができる。
【００２２】
請求項１８記載の考案によれば、請求項１乃至１７のいずれかに記載の遺石を用いた装身具において、装飾体に故人又は愛玩動物を偲ぶ文字が付されていることにより、故人に対する哀悼の念をより高めることができる装身具を実現し、提供することができる。
【図面の簡単な説明】
【００２３】
【図１】図１は本考案の実施例に係る遺石を用いた指輪形態の装身具を示す概略正面図である。
【図２】図２は本考案の実施例に係る遺石を用いた装身具の製造工程を示すフローチャートである。
【図３】図３は本実施例に係る遺石を用いたネックレス形態の装身具を示す概略斜視図である。
【図４】図４は本実施例に係る遺石を用いたペンダント形態の装身具を示す概略斜視図である。
【図５】図５は本実施例に係る遺石を用いたイヤリング形態の装身具を示す概略側面図である。
【図６】図６は本実施例に係る遺石を用いたブレスレット形態の装身具を示す概略斜視図である。
【図７】図７は本実施例に係る遺石を用いたネクタイタイピン形態の装身具を示す概略側面図である。
【図８】図８は本実施例に係る遺石を用いたキーホルダー形態の装身具を示す概略斜視図である。
【図９】図９は本考案の変形例に係る遺石を用いた指輪形態の装身具を示す概略正面図である。
【図１０】図１０は変形例に係る遺石を用いたネックレス形態の装身具を示す概略斜視図である。
【図１１】図１１は変形例に係る遺石を用いたペンダント形態の装身具を示す概略斜視図である。
【図１２】図１２は変形例に係る遺石を用いたペンダント形態の装身具を示す概略断面図である。
【図１３】図１３は変形例に係る遺石を用いたイヤリング形態の装身具を示す概略側面図である。
【図１４】図１４は変形例に係る遺石を用いたブレスレット形態の装身具を示す概略斜視図である。
【図１５】図１５は変形例に係る遺石を用いたネクタイタイピン形態の装身具を示す概略側面図である。
【図１６】図１６は変形例に係る遺石を用いたキーホルダー形態の装身具を示す概略斜視図である。
【図１７】図１７は装飾性を更に向上させたペンダント形態の装身具を示す概略断面図である。
【図１８】図１８は装飾体に文字を付したペンダント形態の装身具を示す概略断面図である。
【考案を実施するための形態】
【００２４】
本考案は、亡くなられた人又は愛玩動物（ペット）の遺骨等のみを含み、かつ、身体の一部に簡略に装用して常に故人（又は愛玩動物（ペット））を偲び供養、崇拝の念を表すことがき、墓石等のような大げさな葬送形態ではなく簡略な葬送形態の一種とすることが可能であり、供養品として極めて有意義な遺石を用いた装身具を提供するという目的を、火葬した人骨又は愛玩動物の骨灰のみを粉砕し固化して形成した遺石を有し、装身具自体を指輪形態、ネックレス形態、ペンダント形態、イヤリング形態、ブレスレット形態、ネクタイピン形態又はキーホルダー形態とする構成により実現した、
【実施例】
【００２５】
以下、本考案の実施例に係る遺石を用いた装身具について、図面を参照し各形態別に詳細に説明する。
【００２６】
本実施例において、「遺石」とは、故人の遺骨を溶かし固形化し大理石の様な石状の物体に固め、遺骨だけで作り上げたものであると定義して以下の説明を行う。
【００２７】
（指輪形態の装身具）
図１は本実施例に係る遺石を用いた指輪形態の装身具１を示すものであり、本実施例に係る遺石を用いた指輪形態の装身具１は、図１に示すように、貴金属を用いた指に装着可能な環状体に形成した装身具本体１１と、この装身具本体１１に設けた台座１２へ着脱自在に取り付けた亡くなられた人の遺骨等のみを含む遺石を用い例えば半球状とした装飾体１３と、を有している。
【００２８】
ここで、遺石を用いた半球状の装飾体１３の製造工程について図２を参照して説明する。
なお、本実施例に係る装飾体１３は、特許第５０２２２００号又は特許５１８０２５６号の技術を採用したものである。
【００２９】
前記装飾体１３の製造工程について概説すると、まず、火葬場で火葬された故人又は愛玩動物の遺骨灰のみを図示しないボールミル内に投入し、遺骨が粉末状になるまで粉砕する（Ｓ１、粉砕工程）。
【００３０】
このように粉砕を実施することは、骨にも、部分的に異なる成分が含まれており、これらの成分が偏在すること等により、溶融時の対流による形状変形や、突沸等による飛散等を極力防止して、安定して石化遺骨灰（焼結体）を得ることができることから好ましいからである。
【００３１】
次に、これらボールミルにて粉砕、均一化した遺骨灰粉体を、所定のメッシュ（例えば１５０メッシュ以下）を有する振動ふるい機に投入して分級する（Ｓ２、分級工程）。
【００３２】
このように分級を実施することは、１５０メッシュ（約１２０ミクロン）を通過した小径の遺骨灰に比較して溶融し難い、突出して大きな粒度の遺骨灰が後述する高密度炭素坩堝内に存在することを回避できるので、遺骨灰粉体の溶融時期のずれが生じ難く、これら溶融時期のずれにより、得られる遺石が変形したり、割れ（かけ）等が発生したりすることを低減でき、安定して遺石を製造できるからである。
【００３３】
次に、分級後の遺骨灰粉体を高密度炭素坩堝内に投入し（Ｓ３）、真空チェンバに入れて真空チェンバ内を減圧して真空状態（例えば１００パスカルＰａ以下の減圧雰囲気）にする（Ｓ４、減圧工程）。
【００３４】
この場合、真空チェンバ内の真空度としては、遺骨灰が１００％であって、融点降下剤や結剤等を何も含んでいない場合には、遺骨灰を溶融させるために、摂氏１５００度（１５００℃）以上の超高温で、かつ、例えば１００パスカルＰａ以下の減圧雰囲気とする。
【００３５】
次に、真空チェンバ内が上記した所定圧力の真空状態（減圧状態）になったら高密度炭素坩堝内の遺骨灰粉体の加熱を行う高周波加熱溶融工程を行う（Ｓ５）。
【００３６】
この場合、遺骨灰が１００％であって、融点降下剤や結剤等を何も含んでいない場合には、遺骨灰を十分に溶融させるために、摂氏１５００度（１５００℃）以上の超高温とする。
【００３７】
次に、遺骨灰粉体が充分に溶融されたら、加振動台を稼動させて真空チェンバに振動を与えることで、真空チェンバ内部に配置された高密度炭素坩堝に振動を与える（Ｓ６，加振工程）。
【００３８】
このように高密度炭素坩堝に振動を印加、すなわち、均一溶融した遺骨灰粉体２７に振動を印加することは、溶融遺骨灰粉体内部に含まれるガス等が外部に排出され易くなるととともに、溶融した溶融遺骨灰粉体の比重差により、比重の重い物質が下方に集中することで、組成のムラが発生することによる割れやかけ、並びに形状不良の発生を低減でききるという理由からである。
【００３９】
次いで、加振動台の稼働による高密度炭素坩堝の振動を停止させた後、この状態で加熱を停止して徐冷に移行する（Ｓ７、徐冷工程）。
【００４０】
そして、徐冷により溶融遺骨灰粉体が固化（石化）し、十分に温度が低下したことを確認した後、真空チェンバの蓋体を開放して高密度炭素坩堝を取り出す（Ｓ８、減圧解除、取出工程）。
【００４１】
次に、高密度炭素坩堝から固化され塊状となった遺石を取り出し、各種装飾体の成形加工を実施する（Ｓ９、成形工程）。
【００４２】
指輪形態の装身具１を作製する場合には、例えば研磨機等を用いて図１に示すような半球状の装飾体１３を作製するものである。
【００４３】
そして、作製した前記装飾体１３を装身具本体１１に設けた台座１２に取り付けることで、図１に示すような指輪形態の装身具１が完成する。
【００４４】
なお、装飾体１３の一部（又は装身具本体１１の一部）に、故人の氏名、故人を偲ぶ文言、仏教式の形態であれば戒名等をレーザー加工機を用いて刻設した形態とすることも勿論可能である。
【００４５】
以上説明した指輪形態の装身具１によれば、亡くなられた人又は愛玩動物（ペット）の遺骨等のみからなる装飾体１３を含む装身具１を遺族が指に装用するだけで、常に故人（又は愛玩動物（ペット））を偲び供養、崇拝の念を表すことがき、簡略な葬送形態の一つとして、又は、故人となった身近な人や死亡した愛玩動物等を末長く偲び、又は崇拝する供養品としてかけがえのない価値を発揮する装身具１とすることができる。
【００４６】
（ネックレス形態の装身具）
次に、本実施例に係る遺石を用いたネックレス形態の装身具２１について図３を参照して説明する。
【００４７】
図３に示すネックレス形態の装身具２１は、例えば故人の遺族２２が首周りに掛け止める例えば金又は銀製のチェーン等からなる紐材２４と、この紐材２４により保持し胸元に飾る遺石を用いた装飾体２３とを有している。
【００４８】
前記装飾体２３は、既述した図２に示す成形工程Ｓ９により得られるものであり、遺石を素材とし、例えば研磨機、穴開け機を用いて遺石を加工して紐材２４の通し穴２５を有する円板状、ハート形状等に成形したものであり、通し穴２５に紐材２４を挿通して胸元に吊り下げ可能としたものである。
【００４９】
なお、装飾体２３の一部に、故人の氏名、故人を偲ぶ文言、仏教式の形態であれば戒名等をレーザー加工機を用いて刻設した形態とすることも勿論可能である。
【００５０】
以上説明したネックレス形態の装身具２１によれば、亡くなられた人又は愛玩動物（ペット）の遺骨等のみからなる装飾体２３を含む装身具２１を遺族２２が首周りに装用するだけで、常に故人（又は愛玩動物（ペット））を偲び供養、崇拝の念を表すことがき、簡略な葬送形態の一つとして、又は、故人となった身近な人や死亡した愛玩動物等を末長く偲び、又は崇拝する供養品としてかけがえのない価値を発揮する装身具２１とすることができる。
【００５１】
（ペンダント形態の装身具）
次に、本実施例に係る遺石を用いたペンダント形態の装身具３１について図４を参照して説明する。
【００５２】
図４に示すペンダント形態の装身具３１は、例えば故人の遺族２２が首周りに掛け止める例えば装飾紐等からなる紐材３４と、この紐材３４により保持し胸元に飾る遺石を用いた装飾体３３とを有している。
【００５３】
前記装飾体３３は、既述した図２に示す成形工程Ｓ９により得られるものであり、遺石を素材とし、例えば研磨機、穴開け機を用いて遺石を加工して紐材３４の通し穴３５を有する円板状等に成形したものであり、通し穴３５に紐材３４を挿通して胸元に吊り下げ可能としたものである。
【００５４】
なお、装飾体３３の一部に、故人の氏名、故人を偲ぶ文言、仏教式の形態であれば戒名等をレーザー加工機を用いて刻設した形態とすることも勿論可能である。
【００５５】
以上説明したペンダント形態の装身具３１によれば、ネックレス形態の装身具２１の場合と同様に、亡くなられた人又は愛玩動物（ペット）の遺骨等のみからなる装飾体３３を含む装身具３１を遺族が首周りに装用するだけで、常に故人（又は愛玩動物（ペット））を偲び供養崇拝の念を表すことができ、簡略な葬送形態の一つとして、又は、故人となった身近な人や死亡した愛玩動物等を末長く偲び、又は崇拝する供養品としてかけがえのない価値を発揮する装身具３１とすることができる。
【００５６】
（イヤリング形態の装身具）
次に、本実施例に係る遺石を用いたイヤリング形態の装身具４１について図５を参照して説明する。
【００５７】
図５に示すイヤリング形態の装身具４１は、装飾体４３と、この装飾体４３を保持し装用者の耳朶
に挟着するための例えば金属製の挟着部４２とを具備している。
【００５８】
前記装飾体４３は、既述した図２に示す成形工程Ｓ９により得られるものであり、遺石を素材とし、例えば研磨機を用いて遺石を加工して一面が曲面状、他面が平坦な薄型円板状に成形したものである。
【００５９】
前記挟着部４２は、全体としてＵ状に形成した挟着具４４を具備し、この挟着具４４の一片側に前記装飾体４３を接着等で取り付けるとともに、挟着具４４の他片側の端部を貫通する状態で螺着したネジ体４５を配置し、このネジ体４５における前記挟着具４４の一片側に耳朶に当設させる当接片４６を設け、ネジ体４５における外方の端部にねじ込み操作片４７を設けた構成としている。
【００６０】
なお、装飾体４３の一部に、又は、前記挟着具４４の一部に、故人の氏名、故人を偲ぶ文言、仏教式の形態であれば戒名等を、レーザー加工機を用いて刻設した形態とすることも勿論可能である。
【００６１】
以上説明したイヤリング形態の装身具４１によれば、亡くなられた人又は愛玩動物（ペット）の遺骨等のみからなる装飾体４３を含むイヤリング形態の装身具４１を、特に婦人が耳朶に着用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する装身具３１とすることができる。
【００６２】
（ブレスレット形態の装身具）
次に、本実施例に係る遺石を用いたブレスレット形態の装身具５１について図６を参照して説明する。
【００６３】
図６に示すブレスレット形態の装身具５１は、例えば遺族の手首等に着脱可能に装着する腕時計の金属バンド類似の装身具本体５２に、亡くなられた人又は愛玩動物（ペット）の遺骨等のみからなる装飾体５３を所要数取り付けて構成したものである。
【００６４】
前記装飾体５３は、既述した図２に示す成形工程Ｓ９により得られるものであり、遺石を素材とし、例えば研磨機を用いて遺石を加工して薄型直方体状に成形したものである。
【００６５】
そして、所要数の装飾体５３を、前記装身具本体５２に分散配置に接着固定することで、装身具５１を構成している。
【００６６】
装飾体５３の装身具本体５２に対する取り付け個数は、３個、５個、８個等、特に検定するものではない。
【００６７】
なお、この場合も、装飾体５３の一部に、又は、前記装身具本体５２の一部に、故人の氏名、故人を偲ぶ文言、仏教式の形態であれば戒名等をレーザー加工機を用いて刻設した形態とすることも勿論可能である。
【００６８】
以上説明したブレスレット形態の装身具５１によれば、亡くなられた人又は愛玩動物（ペット）の遺骨等のみからなる装飾体５３を含むブレスレット形態の装身具５１を、遺族が腕周りに着用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する品としてかけがえのない価値を発揮する装身具５１とすることができる。
【００６９】
（ネクタイピン形態の装身具）
次に、本実施例に係る遺石を用いたネクタイピン形態の装身具６１について図７を参照して説明する。
【００７０】
図７に示すネクタイピン形態の装身具６１は、例えば金属製で側面視Ｕ字形としネクタイ、ワイシャツの一部等を挟み込み可能としたタイピン本体６２と、このタイピン本体６２の一部に設けた台部６４に固着した亡くなられた人又は愛玩動物（ペット）の遺骨等のみからなる装飾体６３とを有している。
【００７１】
前記装飾体６３は、既述した図２に示す成形工程Ｓ９により得られるものであり、遺石を素材とし、例えば研磨機を用いて遺石を加工して例えば小球状等に成形したものである。
【００７２】
なお、この場合も、装飾体６３の一部に、又は、前記タイピン本体６２の一部に、故人の氏名、故人を偲ぶ文言、仏教式の形態であれば戒名等をレーザー加工機を用いて刻設した形態とすることも勿論可能である。
【００７３】
以上説明したネクタイピン形態の装身具６１によれば、亡くなられた人又は愛玩動物（ペット）の遺骨等のみからなる装飾体６３を含むネクタイピン形態の装身具６１を、遺族である男性がネクタイピンとして使用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する品としてかけがえのない価値を発揮する装身具６１とすることができる。
【００７４】
（キーホルダー形態の装身具）
次に、本実施例に係る遺石を用いたキーホルダー形態の装身具７１について図８を参照して説明する。
【００７５】
図８に示すキーホルダー形態の装身具７１は、例えば自動車のキーや住宅の玄関のキー等を装着保持するリング状のキー保持部７２と、このキー保持部７２に一端を結び付けた紐体７４と、亡くなられた人又は愛玩動物（ペット）の遺骨等のみからなる例えば直方体状に形成した装飾体７３とを有し、装飾体７３の上部に穿設した抜穴７５に前記紐体７４の他端を結び付けることにより構成している。
【００７６】
前記装飾体７３は、既述した図２に示す成形工程Ｓ９により得られるものであり、遺石を素材とし、例えば研磨機、穴開け機を用いて加工することにより形成したものである。
【００７７】
なお、この場合も、装飾体７３の一部に、故人の氏名、故人を偲ぶ文言、仏教式の形態であれば戒名等を、レーザー加工機を用いて刻設した形態とすることも勿論可能である。
【００７８】
以上説明したキーホルダー形態の装身具７１によれば、亡くなられた人又は愛玩動物（ペット）の遺骨等のみからなる装飾体７３を含むキーホルダー形態の装身具７１を、遺族がキーホルダーとして使用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する装身具６１とすることができる。
【００７９】
（変形例）
次に、本実施例の変形例に係る遺石を用いた装身具について、図９乃至図１６を参照して説明する。
【００８０】
（指輪形態の装身具）
図９は変形例に係る遺石を用いた指輪形態の装身具１Ａを示すものである。
【００８１】
変形例の指輪形態の装身具１Ａは、基本的には図１に示す装身具１と同様な構成であるが、図９に示すように、貴金属を用いた指に装着可能な環状体に形成した装身具本体１１と、この装身具本体１１に設けた台座１２へ着脱自在に取り付けた亡くなられた人の遺骨等のみを含む遺石を用い例えば半球状とし、かつ、外周の一部（例えば装飾体１３の下半分）に例えば貴金属製又はステンレス製等からなる枠体１４を備える装飾体１３と、を有している。
【００８２】
すなわち、変形例の指輪形態の装身具１Ａは、枠体１４付きの装飾体１３を台座１２へ装着した構成としたものである。
【００８３】
変形例の指輪形態の装身具１Ａの場合も、図１に示す装身具１の場合と同様な効果を発揮するとともに、枠体１４付きの装飾体１３としたことから、より強固な構造とすることができる。
【００８４】
すなわち、変形例の装身具１Ａは、通常の宝石類、貴金属類の場合と異なり、亡くなられた人の遺骨等のみを含む遺石を用いたかけがえのない装飾体１３を枠体１４により保護しているので、装飾体１３が外れて紛失したりすることが無いよう、また、可能な限り傷付きを防止するよう強固な構造としたものである。
【００８５】
（ネックレス形態の装身具）
次に、変形例に係る遺石を用いたネックレス形態の装身具２１Ａについて図１０を参照して説明する。
【００８６】
図１０に示すネックレス形態の装身具２１Ａは、基本的には図３に示す装身具２１と同様な構成であるが、例えば故人の遺族２２が首周りに掛け止める例えば金又は銀製のチェーン等からなる紐材２４と、この紐材２４により保持し胸元に飾る遺石を用い、かつ、外周の一部（例えば装飾体２３の底面、側面を覆う部分）に、例えば貴金属製又はステンレス製等からなり紐材２４挿通用の穴付き取り付け部２６を設けた枠体２７を備える装飾体２３とを有している。
【００８７】
変形例に係る遺石を用いたネックレス形態の装身具２１Ａによれば、図３に示す装身具２１の場合と同様な効果を発揮するととともに、変形例の指輪形態の装身具１Ａの場合と同様、枠体２７により装飾体２３を保護するようにしているので、亡くなられた人の遺骨等のみを含む遺石を用いたかけがえのない装飾体２３を有しているので、装飾体２３が外れて紛失したりすることが無いよう、また、可能な限り傷付きを防止するよう強固な構造とすることができる。
【００８８】
（ペンダント形態の装身具）
次に、変形例に係る遺石を用いたペンダント形態の装身具３１Ａについて図１１、図１２を参照して説明する。
【００８９】
変形例に係るペンダント形態の装身具３１Ａは、基本的には図４に示す装身具３１と同様な構成であるが、例えば故人の遺族２２が首周りに掛け止める例えば装飾紐等からなる紐材３４と、この紐材３４により保持し胸元に飾る遺石を用い、かつ、枠体３７付きの装飾体３３と、を有している。
【００９０】
前記装飾体３３、装飾体３３の具体的構成例について図１２を参照して説明する。
【００９１】
変形例に係るペンダント形態の装身具３１Ａにおいては、図１２に示すように、装飾体３３の上面側（外部に表出する側）の側面外周部をその下側の側面外周部により縮径したテーパー状に研磨仕上げし、この装飾体３３の底面及び側面外周部に皿状に形成した枠体３７を装着し、更に、枠体３７の側壁部の上縁側を装飾体３３のテーパー壁面に図示しないヘラ等で屈曲させて密着仕上げするように構成している。
【００９２】
変形例に係るペンダント形態の装身具３１Ａによれば、図４に示す装身具３１と同様な効果を発揮するとともに、前記枠体３７を備えることから、亡くなられた人の遺骨等のみを含む遺石を用いたかけがえのない装飾体３３を有しているので、装飾体３３が枠体３７から外れて紛失したりすることが無いよう、また、可能な限り傷付きを防止するよう強固な構造とすることができる。
【００９３】
（イヤリング形態の装身具）
次に、変形例に係る遺石を用いたイヤリング形態の装身具４１Ａについて図１３を参照して説明する。
【００９４】
図１３に示すイヤリング形態の装身具４１Ａは、基本的には図５に示す場合と同様な構成であるが、挟着具４４の一片側に既述した場合と同様に形成した枠体４８を配置し、この枠体４８の底面を接着等で取り付ける構成としたが特徴であり、残余の構成は図５に示す場合と同様である。
【００９５】
変形例に係るイヤリング形態の装身具４１Ａによれば、図５に示す装身具４１と同様な効果を発揮するとともに、前記枠体４８を備えることから、亡くなられた人の遺骨等のみを含む遺石を用いたかけがえのない装飾体４３が枠体４８から外れて紛失したりすることが無いよう、また、可能な限り傷付きを防止するよう強固な構造とすることができる。
【００９６】
（ブレスレット形態の装身具）
次に、変形例に係る遺石を用いたブレスレット形態の装身具５１Ａについて図１４を参照して説明する。
【００９７】
図１４に一部を拡大して示すブレスレット形態の装身具５１Ａは、基本的には図６に示す場合と同様な構成であるが、既述した場合と同様な装身具本体５２に対して、既述した場合と同様に構成した枠体５４により底面、側面を保護された装飾体５３を枠体５４を介して所要数取り付けて構成したものであり、残余の構成は図６に示す場合と同様である。
【００９８】
変形例に係る遺石を用いたブレスレット形態の装身具５１Ａによれば、図６に示す装身具５１と同様な効果を発揮するとともに、前記枠体５４を備えることから、亡くなられた人の遺骨等のみを含む遺石を用いたかけがえのない装飾体５３が装身具本体５２から外れて紛失したりすることが無いよう、また、可能な限り傷付きを防止するよう強固な構造とすることができる。
【００９９】
（ネクタイピン形態の装身具）
次に、変形例に係る遺石を用いたネクタイピン形態の装身具６１Ａについて図１５を参照して説明する。
【０１００】
図１５に示すネクタイピン形態の装身具６１Ａは、基本的には図７に示す場合と同様な構成であるが、既述した場合と同様に形成した枠体６５を装飾体６３の外周の一部に取り付け、枠体６５を介して台座６４へ装着した構成としたものであり、残余の構成は図６に示す場合と同様である。
【０１０１】
変形例に係るネクタイピン形態の装身具６１Ａによれば、図７に示す装身具６１と同様な効果を発揮するとともに、前記枠体６５を備えることから、亡くなられた人の遺骨等のみを含む遺石を用いたかけがえのない装飾体６３がタイピン本体６２から外れて紛失したりすることが無いよう、また、可能な限り傷付きを防止するよう強固な構造とすることができる。
【０１０２】
（キーホルダー形態の装身具）
次に、変形例に係る遺石を用いたキーホルダー形態の装身具７１ちについて図１６を参照して説明する。
【０１０３】
図１５に示すキーホルダー形態の装身具７１は、基本的には図８に示す場合と同様な構成であるが、キー保持部７２に一端を結び付けた紐体７４の他端に、例えば
表面を除く外周部を既述した場合と同様に形成した枠体７７により保護した装飾体７３を連結する構成としたものである。
【０１０４】
すなわち、枠体７７の一辺に穴付き取り付け部７７を設け、この穴付き取り付け部７７に紐体７４の他端を結び付けることにより構成している。
【０１０５】
変形例に係るキーホルダー形態の装身具７１Ａによれば、図８示す装身具７１の場合と同様な効果を発揮するとともに、前記枠体７７を備えることから、亡くなられた人の遺骨等のみを含む遺石を用いたかけがえのない装飾体７３が外れて紛失したりすることが無いよう、また、可能な限り傷付きを防止するよう強固な構造とすることができる。
【０１０６】
図１７は、図１１に示すペンダント形態の装身具３１Ａを代表例として利用した装身具３１Ｂを示すものであり、装飾性を更に向上させた構成としたものである。
【０１０７】
すなわち、図１７に示すペンダント形態の装身具３１Ｂは、装飾体３３の外周を保護する枠体３７に、前記装飾体３３の表面の一部を彩る例えば金等からなる貴金属製の飾り網８１を付加した構成としたものである。
【０１０８】
図１７に示すペンダント形態の装身具３１Ｂによれば、既述した図１１に示す装身具３１Ａの場合と同様な効果を奏するとともに、飾り網８１によってより装飾性を高めることができ、故人となった身近な人や死亡した愛玩動物等を末長く偲び、又は崇拝する供養品としてより貴重な装身具３１Ｂとすることができる。
【０１０９】
なお、ペンダント形態の装身具３１Ｂに限らず、変形例の各装身具についても飾り網８１を付加した構成とすることも勿論可能である。
【０１１０】
図１８は、図１１に示すペンダント形態の装身具３１Ａを代表例として利用した装身具３１Ｃを示すものであり、前記装飾体３３の表面の一部に、例えば「ありがとう」という文字をレーザー加工機により刻印したものである。
【０１１１】
前記文字としては、「ありがとう」に限らず、故人や愛玩動物の名前、愛称、その他各種の文字を採用でき、特に限定するものではない。
【０１１２】
前記装身具３１Ｃによれば、装飾体３３の表面の一部に故人や愛玩動物等を偲ぶ文字を付したことから、故人となった身近な人や死亡した愛玩動物等に対する哀悼の念をより高めることができる装身具３１Ｃとすることができる。
【０１１３】
なお、上述したような故人等を偲ぶ文字は、前記装身具３１Ｃに限らず、既述した実施例の各装身具、変形例の前記装身具３１Ｃ以外の各装身具についても同様に付した構成とすることも勿論可能である。
【０１１４】
以上説明したように、上述したような指輪、ネックレス、ペンダント、イヤリング、ブレスレット、ネクタイピン、キーホルダーのような各形態の装身具は、故人そのものであり、位牌であり墓石であり、お守りでもある。
【０１１５】
最近では故人の供養の仕方として、遺骨の一部をペンタントに入れたり、陶磁器に混ぜて置物にしたりして身近で供養するお手元供養が一般化しつつある。
【０１１６】
故人を偲ぶという観点からも、遺骨だけで作られ混ぜ物が入らない上述した各装飾体は故人への感謝と尊厳の道標となる。
【０１１７】
故人の供養は、人がこの地球に存続する限り、忘れてはならない最も大切なことであるが、姿形が亡くなれば面影も記憶も薄れていくことは当然である。
【０１１８】
上述した各装飾体は未来永劫に残る形見として、また末代までお墓に代わるものとして受け継がれることと確信する次第である。
【０１１９】
本願考案は、命の大切さを見失わないようにと社会に役立つ新しい時代の葬送文化の一つを提供せんとするものである。
【０１２０】
すなわち、上述した各装飾体は、故人が生きてこられた歴史や人生の証として、子々孫々いつまでも感謝と尊敬の念を忘れない供養品となる。
上述した装飾体は、いつまでも輝き続ける故人そのものでなければならないと考え、従って故人の遺骨だけで混ぜ物を一切使用せず、また時間が経っても風化しにくいという特有の効果を発揮するものである。これが上述した各装飾体の本当の意義である。
【０１２１】
本願考案は、遺骨は「溶かす事はできても固形化はできない」という従来の一般常識を打破するために、また耐久性等をクリアーするために長い研究の歳月を費やして完成させたものである。
【０１２２】
また、本願に係る考案は、従来からの「遺骨はお墓で供養するもの」という概念を一掃し、「お墓はいらない」あるいは「お墓が遠くて容易に墓参できないが手厚い供養はしたい」と考える遺族でも、家庭に安置して身近な所でご供養することを可能としたものである。
【０１２３】
複数の遺族の方や親族の方が「ご遺骨の一部でも、大切な人の思い出としていつまでも形身として」と思う方が有れば上述した各装身具を数体作ることも可能である。更に、先祖代々の墓に埋葬済みの複数の古い遺骨も遺石に加工して納骨することも可能である。
【０１２４】
このように、本願考案の各装身具は、幅広いニーズに対応することが可能となるものである。
【０１２５】
残された遺族や親族の心中を鑑みたときに、故人を装身具又は装飾体の形態で残しておけば手元で手厚く供養することができ、残りの遺灰は安心して散骨葬や樹木葬や合祀墓にも施すことも可能となる。
【０１２６】
遺骨の一部で作る装身具又は装飾体は、第二のお墓や、位牌や、お守りとして後世に受け継がれることと確信する。
【０１２７】
また、上述した装飾体は粉末状に戻すこともできるので、装飾体の後継者の方が亡くなられた時でも粉末にして遺灰と同じように処理することも可能である。更に、お棺に一緒に納め永久の道連れとしてお葬りすることも可能である。
【産業上の利用可能性】
【０１２８】
本考案は、上述したような指輪、ネックレス、ペンダント、イヤリング、ブレスレット、ネクタイピン、キーホルダーのような各形態として各々使用する他、ピアス、数珠、携帯電話等のストラップの一部、オブジェ等のような多様な形態として、新時代に相応した新しい形態の供養品として有意義に活用できる。
【符号の説明】
【０１２９】
１    装身具
１Ａ  装身具
１１    装身具本体
１２    台座
１３    装飾体
１４    枠体
２１    装身具
２１Ａ  装身具
２２    遺族
２３    装飾体
２４    紐材
２５    通し穴
２６    穴付き取り付け部
２７    枠体
３１    装身具
３１Ａ  装身具
３１Ｂ  装身具
３１Ｃ  装身具
３３    装飾体
３４    紐材
３５    通し穴
３６    穴付き取り付け部
３７    枠体
４１    装身具
４１Ａ  装身具
４２    挟着部
４３    装飾体
４４    挟着具
４５    ネジ体
４６    当接片
４７    ねじ込み操作片
４８    枠体
５１    装身具
５１Ａ  装身具
５２    装身具本体
５３    装飾体
５４    枠体
６１    装身具
６１Ａ  装身具
６２    タイピン本体
６３    装飾体
６４    台部
６５    枠体
７１    装身具
７１Ａ  装身具
７２    キー保持部
７３    装飾体
７４    紐体
７５    抜穴
７６    穴付き取り付け部
７７    枠体
８１    飾り網
【図１】
0003190868.tif 000003
【図２】
0003190868.tif 000004
【図３】
0003190868.tif 000005
【図４】
0003190868.tif 000006
【図５】
0003190868.tif 000007
【図６】
0003190868.tif 000008
【図７】
0003190868.tif 000009
【図８】
0003190868.tif 000010
【図９】
0003190868.tif 000011
【図１０】
0003190868.tif 000012
【図１１】
0003190868.tif 000013
【図１２】
0003190868.tif 000014
【図１３】
0003190868.tif 000015
【図１４】
0003190868.tif 000016
【図１５】
0003190868.tif 000017
【図１６】
0003190868.tif 000018
【図１７】
0003190868.tif 000019
【図１８】
0003190868.tif 000020
【手続補正書】
【提出日】平成26年3月19日(2014.3.19)
【手続補正１】
【補正対象書類名】明細書
【補正対象項目名】全文
【補正方法】変更
【補正の内容】
【考案の詳細な説明】
【技術分野】
【０００１】
本考案は、遺石を用いた装身具に関し、詳しくは、火葬した人骨や愛玩動物の骨灰のみを含み他の混合物を含まない遺石を用いた装身具に関するものである。
【背景技術】
【０００２】
近年、目本の文化はＩＴ革命等にさらされ、年々生活様式が急変し、社会通念や常識も自然と変貌しつつある。
【０００３】
この様な時代の中、葬送の文化は高齢化が進み、葬祭事情は社会的に深刻な問題を投げかけている。
【０００４】
墓地の取得は遺された御遺族（以後、遺族）にとって大きな負担となっている。特に都市部や都市近郊に於いては、墓地不足に加え価格面や立地条件等の制約があり、次世代の遺族にとっては容易に入手することが困難な状況になっている。
【０００５】
「先祖代々の墓に入れない」、「遺骨があっても安置する場所がない」、「お墓があっても納骨スペースがない」、［お墓が欲しくても経済的に無理がある］等の問題を抱えている遺族も多く存在する。
【０００６】
お墓の持てない、持たない遺族の供養の有り方と、お墓との互換性をどのように調和していけばよいのかが大きな問題である。
【０００７】
従来においても、亡くなられた人や愛玩動物（ペット）を追悼する手法としては、生前の写真等を写真立て等に入れて飾ることが一般的になされている。
【０００８】
特許文献１には、本願考案に関連する技術として、亡くなられた人や愛玩動物（ペット）をより身近に感じていられるようにと、これらを火葬に付した遺骨または骨灰の一部を身につけていられるように、高温にて焼成して石状の焼成体としたものが提案されている。
【０００９】
しかし、特許文献１の場合には、石状の焼成体における亡くなられた人や愛玩動物の遺骨等の含有量は微量であり、このように遺骨等の量が微量の場合には、その焼成体から亡くなられた人や愛玩動物（ペット）を感じたり、崇拝の念を感じたりることが希薄となってしまう。
【先行技術文献】
【特許文献】
【００１０】
【特許文献１】特開２００４−１６７１３５号公報
【考案の概要】
【考案が解決しようとする課題】
【００１１】
本考案が解決しようとする問題点は、亡くなられた人又は愛玩動物（ペット）の遺骨等のみを含み、かつ、身体の一部に簡略に装用して常に故人（又は愛玩動物（ペット））を偲び供養、崇拝の念を表すことがき、墓石等のような大げさな葬送形態ではなく簡略な葬送形態の一種とすることが可能であり供養品として極めて有意義であるような遺石を用いた装身具が存在しない点である。
【課題を解決するための手段】
【００１２】
本考案に係る遺石を用いた装身具は、火葬した人骨又は愛玩動物の骨灰を粉砕、溶融した後に固化して石状に形成した遺石を加工処理して、指輪形態、ネックレス形態、ペンダント形態、イヤリング形態、ブレスレット形態、ネクタイピン形態、キーホルダー形態の内のいずれかの形態の装飾体として構成したことを最も主要な特徴とする。
【考案の効果】
【００１３】
請求項１記載の考案によれば、亡くなられた人又は愛玩動物（ペット）の遺骨等のみからなる装飾体（遺石）を加工処理して、指輪形態、ネックレス形態、ペンダント形態、イヤリング形態、ブレスレット形態、ネクタイピン形態、キーホルダー形態の内のいずれかの形態の装飾体として構成したので、これら各形態のとしての装飾体を遺族が身に付けているだけで、常に故人（又は愛玩動物（ペット））を偲び供養、崇拝の念を表すことがき、簡略な葬送形態の一つとして、又は故人となった身近な人や死亡した愛玩動物等を末長く偲び、又は崇拝する供養品としてかけがえのない価値を発揮する遺石を用いた装身具を実現し、提供することができる。
【００１４】
請求項２記載の考案によれば、請求項１記載の効果に加えて、装飾体を枠体で保護することにより、装飾体が外れて紛失したり、傷付いたりすることを防止できる強固な装身具を実現し、提供することができる。
【００１５】
請求項３記載の考案によれば、請求項１、２記載の効果に加えて、装飾体に故人又は愛玩動物を偲ぶ文字が付されていることにより、故人に対する哀悼の念を一層高めることができる装身具を実現し、提供することができる。
【図面の簡単な説明】
【００１６】
【図１】図１は本考案の実施例に係る遺石を用いた指輪形態の装身具を示す概略正面図である。
【図２】図２は本考案の実施例に係る遺石を用いた装身具の製造工程を示すフローチャートである。
【図３】図３は本実施例に係る遺石を用いたネックレス形態の装身具を示す概略斜視図である。
【図４】図４は本実施例に係る遺石を用いたペンダント形態の装身具を示す概略斜視図である。
【図５】図５は本実施例に係る遺石を用いたイヤリング形態の装身具を示す概略側面図である。
【図６】図６は本実施例に係る遺石を用いたブレスレット形態の装身具を示す概略斜視図である。
【図７】図７は本実施例に係る遺石を用いたネクタイタイピン形態の装身具を示す概略側面図である。
【図８】図８は本実施例に係る遺石を用いたキーホルダー形態の装身具を示す概略斜視図である。
【図９】図９は本考案の変形例に係る遺石を用いた指輪形態の装身具を示す概略正面図である。
【図１０】図１０は変形例に係る遺石を用いたネックレス形態の装身具を示す概略斜視図である。
【図１１】図１１は変形例に係る遺石を用いたペンダント形態の装身具を示す概略斜視図である。
【図１２】図１２は変形例に係る遺石を用いたペンダント形態の装身具を示す概略断面図である。
【図１３】図１３は変形例に係る遺石を用いたイヤリング形態の装身具を示す概略側面図である。
【図１４】図１４は変形例に係る遺石を用いたブレスレット形態の装身具を示す概略斜視図である。
【図１５】図１５は変形例に係る遺石を用いたネクタイタイピン形態の装身具を示す概略側面図である。
【図１６】図１６は変形例に係る遺石を用いたキーホルダー形態の装身具を示す概略斜視図である。
【図１７】図１７は装飾性を更に向上させたペンダント形態の装身具を示す概略断面図である。
【図１８】図１８は装飾体に文字を付したペンダント形態の装身具を示す概略断面図である。
【考案を実施するための形態】
【００１７】
本考案は、亡くなられた人又は愛玩動物（ペット）の遺骨等のみを含み、かつ、身体の一部に簡略に装用して常に故人（又は愛玩動物（ペット））を偲び供養、崇拝の念を表すことがき、墓石等のような大げさな葬送形態ではなく簡略な葬送形態の一種とすることが可能であり、供養品として極めて有意義な遺石を用いた装身具を提供するという目的を、火葬した人骨又は愛玩動物の骨灰のみを粉砕し固化して形成した遺石を有し、装身具自体を指輪形態、ネックレス形態、ペンダント形態、イヤリング形態、ブレスレット形態、ネクタイピン形態又はキーホルダー形態とする構成により実現した、
【実施例】
【００１８】
以下、本考案の実施例に係る遺石を用いた装身具について、図面を参照し各形態別に詳細に説明する。
【００１９】
本実施例において、「遺石」とは、故人の遺骨を溶かし固形化し大理石の様な石状の物体に固め、遺骨だけで作り上げたものであると定義して以下の説明を行う。
【００２０】
（指輪形態の装身具）
図１は本実施例に係る遺石を用いた指輪形態の装身具１を示すものであり、本実施例に係る遺石を用いた指輪形態の装身具１は、図１に示すように、貴金属を用いた指に装着可能な環状体に形成した装身具本体１１と、この装身具本体１１に設けた台座１２へ着脱自在に取り付けた亡くなられた人の遺骨等のみを含む遺石を用い例えば半球状とした装飾体１３と、を有している。
【００２１】
ここで、遺石を用いた半球状の装飾体１３の製造工程について図２を参照して説明する。
なお、本実施例に係る装飾体１３は、特許第５０２２２００号又は特許５１８０２５６号の技術を採用したものである。
【００２２】
前記装飾体１３の製造工程について概説すると、まず、火葬場で火葬された故人又は愛玩動物の遺骨灰のみを図示しないボールミル内に投入し、遺骨が粉末状になるまで粉砕する（Ｓ１、粉砕工程）。
【００２３】
このように粉砕を実施することは、骨にも、部分的に異なる成分が含まれており、これらの成分が偏在すること等により、溶融時の対流による形状変形や、突沸等による飛散等を極力防止して、安定して石化遺骨灰（焼結体）を得ることができることから好ましいからである。
【００２４】
次に、これらボールミルにて粉砕、均一化した遺骨灰粉体を、所定のメッシュ（例えば１５０メッシュ以下）を有する振動ふるい機に投入して分級する（Ｓ２、分級工程）。
【００２５】
このように分級を実施することは、１５０メッシュ（約１２０ミクロン）を通過した小径の遺骨灰に比較して溶融し難い、突出して大きな粒度の遺骨灰が後述する高密度炭素坩堝内に存在することを回避できるので、遺骨灰粉体の溶融時期のずれが生じ難く、これら溶融時期のずれにより、得られる遺石が変形したり、割れ（かけ）等が発生したりすることを低減でき、安定して遺石を製造できるからである。
【００２６】
次に、分級後の遺骨灰粉体を高密度炭素坩堝内に投入し（Ｓ３）、真空チェンバに入れて真空チェンバ内を減圧して真空状態（例えば１００パスカルＰａ以下の減圧雰囲気）にする（Ｓ４、減圧工程）。
【００２７】
この場合、真空チェンバ内の真空度としては、遺骨灰が１００％であって、融点降下剤や結剤等を何も含んでいない場合には、遺骨灰を溶融させるために、摂氏１５００度（１５００℃）以上の超高温で、かつ、例えば１００パスカルＰａ以下の減圧雰囲気とする。
【００２８】
次に、真空チェンバ内が上記した所定圧力の真空状態（減圧状態）になったら高密度炭素坩堝内の遺骨灰粉体の加熱を行う高周波加熱溶融工程を行う（Ｓ５）。
【００２９】
この場合、遺骨灰が１００％であって、融点降下剤や結剤等を何も含んでいない場合には、遺骨灰を十分に溶融させるために、摂氏１５００度（１５００℃）以上の超高温とする。
【００３０】
次に、遺骨灰粉体が充分に溶融されたら、加振動台を稼動させて真空チェンバに振動を与えることで、真空チェンバ内部に配置された高密度炭素坩堝に振動を与える（Ｓ６，加振工程）。
【００３１】
このように高密度炭素坩堝に振動を印加、すなわち、均一溶融した遺骨灰粉体２７に振動を印加することは、溶融遺骨灰粉体内部に含まれるガス等が外部に排出され易くなるととともに、溶融した溶融遺骨灰粉体の比重差により、比重の重い物質が下方に集中することで、組成のムラが発生することによる割れやかけ、並びに形状不良の発生を低減でききるという理由からである。
【００３２】
次いで、加振動台の稼働による高密度炭素坩堝の振動を停止させた後、この状態で加熱を停止して徐冷に移行する（Ｓ７、徐冷工程）。
【００３３】
そして、徐冷により溶融遺骨灰粉体が固化（石化）し、十分に温度が低下したことを確認した後、真空チェンバの蓋体を開放して高密度炭素坩堝を取り出す（Ｓ８、減圧解除、取出工程）。
【００３４】
次に、高密度炭素坩堝から固化され塊状となった遺石を取り出し、各種装飾体の成形加工を実施する（Ｓ９、成形工程）。
【００３５】
指輪形態の装身具１を作製する場合には、例えば研磨機等を用いて図１に示すような半球状の装飾体１３を作製するものである。
【００３６】
そして、作製した前記装飾体１３を装身具本体１１に設けた台座１２に取り付けることで、図１に示すような指輪形態の装身具１が完成する。
【００３７】
なお、装飾体１３の一部（又は装身具本体１１の一部）に、故人の氏名、故人を偲ぶ文言、仏教式の形態であれば戒名等をレーザー加工機を用いて刻設した形態とすることも勿論可能である。
【００３８】
以上説明した指輪形態の装身具１によれば、亡くなられた人又は愛玩動物（ペット）の遺骨等のみからなる装飾体１３を含む装身具１を遺族が指に装用するだけで、常に故人（又は愛玩動物（ペット））を偲び供養、崇拝の念を表すことがき、簡略な葬送形態の一つとして、又は、故人となった身近な人や死亡した愛玩動物等を末長く偲び、又は崇拝する供養品としてかけがえのない価値を発揮する装身具１とすることができる。
【００３９】
（ネックレス形態の装身具）
次に、本実施例に係る遺石を用いたネックレス形態の装身具２１について図３を参照して説明する。
【００４０】
図３に示すネックレス形態の装身具２１は、例えば故人の遺族２２が首周りに掛け止める例えば金又は銀製のチェーン等からなる紐材２４と、この紐材２４により保持し胸元に飾る遺石を用いた装飾体２３とを有している。
【００４１】
前記装飾体２３は、既述した図２に示す成形工程Ｓ９により得られるものであり、遺石を素材とし、例えば研磨機、穴開け機を用いて遺石を加工して紐材２４の通し穴２５を有する円板状、ハート形状等に成形したものであり、通し穴２５に紐材２４を挿通して胸元に吊り下げ可能としたものである。
【００４２】
なお、装飾体２３の一部に、故人の氏名、故人を偲ぶ文言、仏教式の形態であれば戒名等をレーザー加工機を用いて刻設した形態とすることも勿論可能である。
【００４３】
以上説明したネックレス形態の装身具２１によれば、亡くなられた人又は愛玩動物（ペット）の遺骨等のみからなる装飾体２３を含む装身具２１を遺族２２が首周りに装用するだけで、常に故人（又は愛玩動物（ペット））を偲び供養、崇拝の念を表すことがき、簡略な葬送形態の一つとして、又は、故人となった身近な人や死亡した愛玩動物等を末長く偲び、又は崇拝する供養品としてかけがえのない価値を発揮する装身具２１とすることができる。
【００４４】
（ペンダント形態の装身具）
次に、本実施例に係る遺石を用いたペンダント形態の装身具３１について図４を参照して説明する。
【００４５】
図４に示すペンダント形態の装身具３１は、例えば故人の遺族２２が首周りに掛け止める例えば装飾紐等からなる紐材３４と、この紐材３４により保持し胸元に飾る遺石を用いた装飾体３３とを有している。
【００４６】
前記装飾体３３は、既述した図２に示す成形工程Ｓ９により得られるものであり、遺石を素材とし、例えば研磨機、穴開け機を用いて遺石を加工して紐材３４の通し穴３５を有する円板状等に成形したものであり、通し穴３５に紐材３４を挿通して胸元に吊り下げ可能としたものである。
【００４７】
なお、装飾体３３の一部に、故人の氏名、故人を偲ぶ文言、仏教式の形態であれば戒名等をレーザー加工機を用いて刻設した形態とすることも勿論可能である。
【００４８】
以上説明したペンダント形態の装身具３１によれば、ネックレス形態の装身具２１の場合と同様に、亡くなられた人又は愛玩動物（ペット）の遺骨等のみからなる装飾体３３を含む装身具３１を遺族が首周りに装用するだけで、常に故人（又は愛玩動物（ペット））を偲び供養崇拝の念を表すことができ、簡略な葬送形態の一つとして、又は、故人となった身近な人や死亡した愛玩動物等を末長く偲び、又は崇拝する供養品としてかけがえのない価値を発揮する装身具３１とすることができる。
【００４９】
（イヤリング形態の装身具）
次に、本実施例に係る遺石を用いたイヤリング形態の装身具４１について図５を参照して説明する。
【００５０】
図５に示すイヤリング形態の装身具４１は、装飾体４３と、この装飾体４３を保持し装用者の耳朶に挟着するための例えば金属製の挟着部４２とを具備している。
【００５１】
前記装飾体４３は、既述した図２に示す成形工程Ｓ９により得られるものであり、遺石を素材とし、例えば研磨機を用いて遺石を加工して一面が曲面状、他面が平坦な薄型円板状に成形したものである。
【００５２】
前記挟着部４２は、全体としてＵ状に形成した挟着具４４を具備し、この挟着具４４の一片側に前記装飾体４３を接着等で取り付けるとともに、挟着具４４の他片側の端部を貫通する状態で螺着したネジ体４５を配置し、このネジ体４５における前記挟着具４４の一片側に耳朶に当設させる当接片４６を設け、ネジ体４５における外方の端部にねじ込み操作片４７を設けた構成としている。
【００５３】
なお、装飾体４３の一部に、又は、前記挟着具４４の一部に、故人の氏名、故人を偲ぶ文言、仏教式の形態であれば戒名等を、レーザー加工機を用いて刻設した形態とすることも勿論可能である。
【００５４】
以上説明したイヤリング形態の装身具４１によれば、亡くなられた人又は愛玩動物（ペット）の遺骨等のみからなる装飾体４３を含むイヤリング形態の装身具４１を、特に婦人が耳朶に着用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する装身具３１とすることができる。
【００５５】
（ブレスレット形態の装身具）
次に、本実施例に係る遺石を用いたブレスレット形態の装身具５１について図６を参照して説明する。
【００５６】
図６に示すブレスレット形態の装身具５１は、例えば遺族の手首等に着脱可能に装着する腕時計の金属バンド類似の装身具本体５２に、亡くなられた人又は愛玩動物（ペット）の遺骨等のみからなる装飾体５３を所要数取り付けて構成したものである。
【００５７】
前記装飾体５３は、既述した図２に示す成形工程Ｓ９により得られるものであり、遺石を素材とし、例えば研磨機を用いて遺石を加工して薄型直方体状に成形したものである。
【００５８】
そして、所要数の装飾体５３を、前記装身具本体５２に分散配置に接着固定することで、装身具５１を構成している。
【００５９】
装飾体５３の装身具本体５２に対する取り付け個数は、３個、５個、８個等、特に検定するものではない。
【００６０】
なお、この場合も、装飾体５３の一部に、又は、前記装身具本体５２の一部に、故人の氏名、故人を偲ぶ文言、仏教式の形態であれば戒名等をレーザー加工機を用いて刻設した形態とすることも勿論可能である。
【００６１】
以上説明したブレスレット形態の装身具５１によれば、亡くなられた人又は愛玩動物（ペット）の遺骨等のみからなる装飾体５３を含むブレスレット形態の装身具５１を、遺族が腕周りに着用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する品としてかけがえのない価値を発揮する装身具５１とすることができる。
【００６２】
（ネクタイピン形態の装身具）
次に、本実施例に係る遺石を用いたネクタイピン形態の装身具６１について図７を参照して説明する。
【００６３】
図７に示すネクタイピン形態の装身具６１は、例えば金属製で側面視Ｕ字形としネクタイ、ワイシャツの一部等を挟み込み可能としたタイピン本体６２と、このタイピン本体６２の一部に設けた台部６４に固着した亡くなられた人又は愛玩動物（ペット）の遺骨等のみからなる装飾体６３とを有している。
【００６４】
前記装飾体６３は、既述した図２に示す成形工程Ｓ９により得られるものであり、遺石を素材とし、例えば研磨機を用いて遺石を加工して例えば小球状等に成形したものである。
【００６５】
なお、この場合も、装飾体６３の一部に、又は、前記タイピン本体６２の一部に、故人の氏名、故人を偲ぶ文言、仏教式の形態であれば戒名等をレーザー加工機を用いて刻設した形態とすることも勿論可能である。
【００６６】
以上説明したネクタイピン形態の装身具６１によれば、亡くなられた人又は愛玩動物（ペット）の遺骨等のみからなる装飾体６３を含むネクタイピン形態の装身具６１を、遺族である男性がネクタイピンとして使用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する品としてかけがえのない価値を発揮する装身具６１とすることができる。
【００６７】
（キーホルダー形態の装身具）
次に、本実施例に係る遺石を用いたキーホルダー形態の装身具７１について図８を参照して説明する。
【００６８】
図８に示すキーホルダー形態の装身具７１は、例えば自動車のキーや住宅の玄関のキー等を装着保持するリング状のキー保持部７２と、このキー保持部７２に一端を結び付けた紐体７４と、亡くなられた人又は愛玩動物（ペット）の遺骨等のみからなる例えば直方体状に形成した装飾体７３とを有し、装飾体７３の上部に穿設した抜穴７５に前記紐体７４の他端を結び付けることにより構成している。
【００６９】
前記装飾体７３は、既述した図２に示す成形工程Ｓ９により得られるものであり、遺石を素材とし、例えば研磨機、穴開け機を用いて加工することにより形成したものである。
【００７０】
なお、この場合も、装飾体７３の一部に、故人の氏名、故人を偲ぶ文言、仏教式の形態であれば戒名等を、レーザー加工機を用いて刻設した形態とすることも勿論可能である。
【００７１】
以上説明したキーホルダー形態の装身具７１によれば、亡くなられた人又は愛玩動物（ペット）の遺骨等のみからなる装飾体７３を含むキーホルダー形態の装身具７１を、遺族がキーホルダーとして使用することで、故人（又は愛玩動物（ペット））を偲び供養、崇拝の念を表すことができ、簡略な葬送形態の一つとして、又は、故人となった身近な人や死亡した愛玩動物等を末長く偲び、又は崇拝する供養品としてかけがえのない価値を発揮する装身具６１とすることができる。
【００７２】
（変形例）
次に、本実施例の変形例に係る遺石を用いた装身具について、図９乃至図１６を参照して説明する。
【００７３】
（指輪形態の装身具）
図９は変形例に係る遺石を用いた指輪形態の装身具１Ａを示すものである。
【００７４】
変形例の指輪形態の装身具１Ａは、基本的には図１に示す装身具１と同様な構成であるが、図９に示すように、貴金属を用いた指に装着可能な環状体に形成した装身具本体１１と、この装身具本体１１に設けた台座１２へ着脱自在に取り付けた亡くなられた人の遺骨等のみを含む遺石を用い例えば半球状とし、かつ、外周の一部（例えば装飾体１３の下半分）に例えば貴金属製又はステンレス製等からなる枠体１４を備える装飾体１３と、を有している。
【００７５】
すなわち、変形例の指輪形態の装身具１Ａは、枠体１４付きの装飾体１３を台座１２へ装着した構成としたものである。
【００７６】
変形例の指輪形態の装身具１Ａの場合も、図１に示す装身具１の場合と同様な効果を発揮するとともに、枠体１４付きの装飾体１３としたことから、より強固な構造とすることができる。
【００７７】
すなわち、変形例の装身具１Ａは、通常の宝石類、貴金属類の場合と異なり、亡くなられた人の遺骨等のみを含む遺石を用いたかけがえのない装飾体１３を枠体１４により保護しているので、装飾体１３が外れて紛失したりすることが無いよう、また、可能な限り傷付きを防止するよう強固な構造としたものである。
【００７８】
（ネックレス形態の装身具）
次に、変形例に係る遺石を用いたネックレス形態の装身具２１Ａについて図１０を参照して説明する。
【００７９】
図１０に示すネックレス形態の装身具２１Ａは、基本的には図３に示す装身具２１と同様な構成であるが、例えば故人の遺族２２が首周りに掛け止める例えば金又は銀製のチェーン等からなる紐材２４と、この紐材２４により保持し胸元に飾る遺石を用い、かつ、外周の一部（例えば装飾体２３の底面、側面を覆う部分）に、例えば貴金属製又はステンレス製等からなり紐材２４挿通用の穴付き取り付け部２６を設けた枠体２７を備える装飾体２３とを有している。
【００８０】
変形例に係る遺石を用いたネックレス形態の装身具２１Ａによれば、図３に示す装身具２１の場合と同様な効果を発揮するととともに、変形例の指輪形態の装身具１Ａの場合と同様、枠体２７により装飾体２３を保護するようにしているので、亡くなられた人の遺骨等のみを含む遺石を用いたかけがえのない装飾体２３を有しているので、装飾体２３が外れて紛失したりすることが無いよう、また、可能な限り傷付きを防止するよう強固な構造とすることができる。
【００８１】
（ペンダント形態の装身具）
次に、変形例に係る遺石を用いたペンダント形態の装身具３１Ａについて図１１、図１２を参照して説明する。
【００８２】
変形例に係るペンダント形態の装身具３１Ａは、基本的には図４に示す装身具３１と同様な構成であるが、例えば故人の遺族２２が首周りに掛け止める例えば装飾紐等からなる紐材３４と、この紐材３４により保持し胸元に飾る遺石を用い、かつ、枠体３７付きの装飾体３３と、を有している。
【００８３】
前記装飾体３３、装飾体３３の具体的構成例について図１２を参照して説明する。
【００８４】
変形例に係るペンダント形態の装身具３１Ａにおいては、図１２に示すように、装飾体３３の上面側（外部に表出する側）の側面外周部をその下側の側面外周部により縮径したテーパー状に研磨仕上げし、この装飾体３３の底面及び側面外周部に皿状に形成した枠体３７を装着し、更に、枠体３７の側壁部の上縁側を装飾体３３のテーパー壁面に図示しないヘラ等で屈曲させて密着仕上げするように構成している。
【００８５】
変形例に係るペンダント形態の装身具３１Ａによれば、図４に示す装身具３１と同様な効果を発揮するとともに、前記枠体３７を備えることから、亡くなられた人の遺骨等のみを含む遺石を用いたかけがえのない装飾体３３を有しているので、装飾体３３が枠体３７から外れて紛失したりすることが無いよう、また、可能な限り傷付きを防止するよう強固な構造とすることができる。
【００８６】
（イヤリング形態の装身具）
次に、変形例に係る遺石を用いたイヤリング形態の装身具４１Ａについて図１３を参照して説明する。
【００８７】
図１３に示すイヤリング形態の装身具４１Ａは、基本的には図５に示す場合と同様な構成であるが、挟着具４４の一片側に既述した場合と同様に形成した枠体４８を配置し、この枠体４８の底面を接着等で取り付ける構成としたが特徴であり、残余の構成は図５に示す場合と同様である。
【００８８】
変形例に係るイヤリング形態の装身具４１Ａによれば、図５に示す装身具４１と同様な効果を発揮するとともに、前記枠体４８を備えることから、亡くなられた人の遺骨等のみを含む遺石を用いたかけがえのない装飾体４３が枠体４８から外れて紛失したりすることが無いよう、また、可能な限り傷付きを防止するよう強固な構造とすることができる。
【００８９】
（ブレスレット形態の装身具）
次に、変形例に係る遺石を用いたブレスレット形態の装身具５１Ａについて図１４を参照して説明する。
【００９０】
図１４に一部を拡大して示すブレスレット形態の装身具５１Ａは、基本的には図６に示す場合と同様な構成であるが、既述した場合と同様な装身具本体５２に対して、既述した場合と同様に構成した枠体５４により底面、側面を保護された装飾体５３を枠体５４を介して所要数取り付けて構成したものであり、残余の構成は図６に示す場合と同様である。
【００９１】
変形例に係る遺石を用いたブレスレット形態の装身具５１Ａによれば、図６に示す装身具５１と同様な効果を発揮するとともに、前記枠体５４を備えることから、亡くなられた人の遺骨等のみを含む遺石を用いたかけがえのない装飾体５３が装身具本体５２から外れて紛失したりすることが無いよう、また、可能な限り傷付きを防止するよう強固な構造とすることができる。
【００９２】
（ネクタイピン形態の装身具）
次に、変形例に係る遺石を用いたネクタイピン形態の装身具６１Ａについて図１５を参照して説明する。
【００９３】
図１５に示すネクタイピン形態の装身具６１Ａは、基本的には図７に示す場合と同様な構成であるが、既述した場合と同様に形成した枠体６５を装飾体６３の外周の一部に取り付け、枠体６５を介して台座６４へ装着した構成としたものであり、残余の構成は図６に示す場合と同様である。
【００９４】
変形例に係るネクタイピン形態の装身具６１Ａによれば、図７に示す装身具６１と同様な効果を発揮するとともに、前記枠体６５を備えることから、亡くなられた人の遺骨等のみを含む遺石を用いたかけがえのない装飾体６３がタイピン本体６２から外れて紛失したりすることが無いよう、また、可能な限り傷付きを防止するよう強固な構造とすることができる。
【００９５】
（キーホルダー形態の装身具）
次に、変形例に係る遺石を用いたキーホルダー形態の装身具７１ちについて図１６を参照して説明する。
【００９６】
図１５に示すキーホルダー形態の装身具７１は、基本的には図８に示す場合と同様な構成であるが、キー保持部７２に一端を結び付けた紐体７４の他端に、例えば表面を除く外周部を既述した場合と同様に形成した枠体７７により保護した装飾体７３を連結する構成としたものである。
【００９７】
すなわち、枠体７７の一辺に穴付き取り付け部７７を設け、この穴付き取り付け部７７に紐体７４の他端を結び付けることにより構成している。
【００９８】
変形例に係るキーホルダー形態の装身具７１Ａによれば、図８示す装身具７１の場合と同様な効果を発揮するとともに、前記枠体７７を備えることから、亡くなられた人の遺骨等のみを含む遺石を用いたかけがえのない装飾体７３が外れて紛失したりすることが無いよう、また、可能な限り傷付きを防止するよう強固な構造とすることができる。
【００９９】
図１７は、図１１に示すペンダント形態の装身具３１Ａを代表例として利用した装身具３１Ｂを示すものであり、装飾性を更に向上させた構成としたものである。
【０１００】
すなわち、図１７に示すペンダント形態の装身具３１Ｂは、装飾体３３の外周を保護する枠体３７に、前記装飾体３３の表面の一部を彩る例えば金等からなる貴金属製の飾り網８１を付加した構成としたものである。
【０１０１】
図１７に示すペンダント形態の装身具３１Ｂによれば、既述した図１１に示す装身具３１Ａの場合と同様な効果を奏するとともに、飾り網８１によってより装飾性を高めることができ、故人となった身近な人や死亡した愛玩動物等を末長く偲び、又は崇拝する供養品としてより貴重な装身具３１Ｂとすることができる。
【０１０２】
なお、ペンダント形態の装身具３１Ｂに限らず、変形例の各装身具についても飾り網８１を付加した構成とすることも勿論可能である。
【０１０３】
図１８は、図１１に示すペンダント形態の装身具３１Ａを代表例として利用した装身具３１Ｃを示すものであり、前記装飾体３３の表面の一部に、例えば「ありがとう」という文字をレーザー加工機により刻印したものである。
【０１０４】
前記文字としては、「ありがとう」に限らず、故人や愛玩動物の名前、愛称、その他各種の文字を採用でき、特に限定するものではない。
【０１０５】
前記装身具３１Ｃによれば、装飾体３３の表面の一部に故人や愛玩動物等を偲ぶ文字を付したことから、故人となった身近な人や死亡した愛玩動物等に対する哀悼の念をより高めることができる装身具３１Ｃとすることができる。
【０１０６】
なお、上述したような故人等を偲ぶ文字は、前記装身具３１Ｃに限らず、既述した実施例の各装身具、変形例の前記装身具３１Ｃ以外の各装身具についても同様に付した構成とすることも勿論可能である。
【０１０７】
以上説明したように、上述したような指輪、ネックレス、ペンダント、イヤリング、ブレスレット、ネクタイピン、キーホルダーのような各形態の装身具は、故人そのものであり、位牌であり墓石であり、お守りでもある。
【０１０８】
最近では故人の供養の仕方として、遺骨の一部をペンタントに入れたり、陶磁器に混ぜて置物にしたりして身近で供養するお手元供養が一般化しつつある。
【０１０９】
故人を偲ぶという観点からも、遺骨だけで作られ混ぜ物が入らない上述した各装飾体は故人への感謝と尊厳の道標となる。
【０１１０】
故人の供養は、人がこの地球に存続する限り、忘れてはならない最も大切なことであるが、姿形が亡くなれば面影も記憶も薄れていくことは当然である。
【０１１１】
上述した各装飾体は未来永劫に残る形見として、また末代までお墓に代わるものとして受け継がれることと確信する次第である。
【０１１２】
本願考案は、命の大切さを見失わないようにと社会に役立つ新しい時代の葬送文化の一つを提供せんとするものである。
【０１１３】
すなわち、上述した各装飾体は、故人が生きてこられた歴史や人生の証として、子々孫々いつまでも感謝と尊敬の念を忘れない供養品となる。
上述した装飾体は、いつまでも輝き続ける故人そのものでなければならないと考え、従って故人の遺骨だけで混ぜ物を一切使用せず、また時間が経っても風化しにくいという特有の効果を発揮するものである。これが上述した各装飾体の本当の意義である。
【０１１４】
本願考案は、遺骨は「溶かす事はできても固形化はできない」という従来の一般常識を打破するために、また耐久性等をクリアーするために長い研究の歳月を費やして完成させたものである。
【０１１５】
また、本願に係る考案は、従来からの「遺骨はお墓で供養するもの」という概念を一掃し、「お墓はいらない」あるいは「お墓が遠くて容易に墓参できないが手厚い供養はしたい」と考える遺族でも、家庭に安置して身近な所でご供養することを可能としたものである。
【０１１６】
複数の遺族の方や親族の方が「ご遺骨の一部でも、大切な人の思い出としていつまでも形身として」と思う方が有れば上述した各装身具を数体作ることも可能である。更に、先祖代々の墓に埋葬済みの複数の古い遺骨も遺石に加工して納骨することも可能である。
【０１１７】
このように、本願考案の各装身具は、幅広いニーズに対応することが可能となるものである。
【０１１８】
残された遺族や親族の心中を鑑みたときに、故人を装身具又は装飾体の形態で残しておけば手元で手厚く供養することができ、残りの遺灰は安心して散骨葬や樹木葬や合祀墓にも施すことも可能となる。
【０１１９】
遺骨の一部で作る装身具又は装飾体は、第二のお墓や、位牌や、お守りとして後世に受け継がれることと確信する。
【０１２０】
また、上述した装飾体は粉末状に戻すこともできるので、装飾体の後継者の方が亡くなられた時でも粉末にして遺灰と同じように処理することも可能である。更に、お棺に一緒に納め永久の道連れとしてお葬りすることも可能である。
【産業上の利用可能性】
【０１２１】
本考案は、上述したような指輪、ネックレス、ペンダント、イヤリング、ブレスレット、ネクタイピン、キーホルダーのような各形態として各々使用する他、ピアス、数珠、携帯電話等のストラップの一部、オブジェ等のような多様な形態として、新時代に相応した新しい形態の供養品として有意義に活用できる。
【符号の説明】
【０１２２】
１    装身具
１Ａ  装身具
１１    装身具本体
１２    台座
１３    装飾体
１４    枠体
２１    装身具
２１Ａ  装身具
２２    遺族
２３    装飾体
２４    紐材
２５    通し穴
２６    穴付き取り付け部
２７    枠体
３１    装身具
３１Ａ  装身具
３１Ｂ  装身具
３１Ｃ  装身具
３３    装飾体
３４    紐材
３５    通し穴
３６    穴付き取り付け部
３７    枠体
４１    装身具
４１Ａ  装身具
４２    挟着部
４３    装飾体
４４    挟着具
４５    ネジ体
４６    当接片
４７    ねじ込み操作片
４８    枠体
５１    装身具
５１Ａ  装身具
５２    装身具本体
５３    装飾体
５４    枠体
６１    装身具
６１Ａ  装身具
６２    タイピン本体
６３    装飾体
６４    台部
６５    枠体
７１    装身具
７１Ａ  装身具
７２    キー保持部
７３    装飾体
７４    紐体
７５    抜穴
７６    穴付き取り付け部
７７    枠体
８１    飾り網
【手続補正２】
【補正対象書類名】実用新案登録請求の範囲
【補正対象項目名】全文
【補正方法】変更
【補正の内容】
【実用新案登録請求の範囲】
【請求項１】
火葬した人骨又は愛玩動物の骨灰を粉砕、溶融した後に固化して石状に形成した遺石を加工処理して、指輪形態、ネックレス形態、ペンダント形態、イヤリング形態、ブレスレット形態、ネクタイピン形態、キーホルダー形態の内のいずれかの形態の装飾体として構成したことを特徴とする遺石を用いた装身具。
【請求項２】
火葬した人骨又は愛玩動物の骨灰を粉砕、溶融した後に固化して石状に形成した遺石を加工処理して、指輪形態、ネックレス形態、ペンダント形態、イヤリング形態、ブレスレット形態、ネクタイピン形態、キーホルダー形態の内のいずれかの形態の装飾体として構成したとともに、
前記装飾体は、破損等からその周囲を保護するような状態で貴金属製の枠体内に装着して構成したことを特徴とする遺石を用いた装身具。
【請求項３】
火葬した人骨又は愛玩動物の骨灰を粉砕、溶融した後に固化して石状に形成した遺石を加工処理して、指輪形態、ネックレス形態、ペンダント形態、イヤリング形態、ブレスレット形態、ネクタイピン形態、キーホルダー形態の内のいずれかの形態の装飾体として構成したとともに、
前記装飾体は、破損等からその周囲を保護するような状態で、貴金属製の枠体内に装着されて、かつ、当該装飾体の表面には故人又は愛玩動物を偲ぶ文字を付して構成したことを特徴とする遺石を用いた装身具。